(57)【要約】制御部（１１０）が、情報処理装置（１００）の構造に基づいて、表示部（１１０）が持つ複数の表示領域のうち、アプリケーションの一覧を表示させる表示領域を決定し、決定した表示領域にアプリケーションの一覧を表示させる。
2013145491.tif 000002
【特許請求の範囲】
【請求項１】
情報処理装置であって、
複数の表示領域を持つ表示部と、
当該情報処理装置の構造に基づいて、前記複数の表示領域のうち、アプリケーションの一覧を表示させる表示領域を決定し、該決定した表示領域に前記一覧を表示させる制御部とを有することを特徴とする情報処理装置。
【請求項２】
請求項１に記載の情報処理装置において、
カメラを有し、
前記制御部は、前記アプリケーションの一覧の中に、前記カメラを用いたアプリケーションを示す情報が含まれる場合、前記カメラが取り付けられた位置に最も近い位置に配置されている表示領域に前記一覧を表示させることを特徴とする情報処理装置。
【請求項３】
請求項２に記載の情報処理装置において、
ヒンジで接続された２つの筺体から構成され、
前記表示部は、前記２つの筺体それぞれに配置された２つの表示領域を持ち、
前記制御部は、前記カメラが取り付けられた筐体に配置された表示領域に前記一覧を表示させることを特徴とする情報処理装置。
【請求項４】
請求項１に記載の情報処理装置において、
２つの筺体から構成され、
前記表示部は、前記２つの筺体それぞれに配置された２つの表示領域を持ち、
前記制御部は、前記アプリケーションの一覧の中に、利用者の操作で情報を入力するアプリケーションを示す情報が含まれる場合、前記２つの筺体のうち、重量の重い方の筐体に配置された表示領域に前記一覧を表示させることを特徴とする情報処理装置。
【請求項５】
請求項１または請求項４に記載の情報処理装置において、
２つの筺体から構成され、
前記表示部は、前記２つの筺体それぞれに配置された２つの表示領域を持ち、
前記制御部は、前記アプリケーションの一覧の中に、情報が出力されるアプリケーションを示す情報が含まれる場合、前記２つの筺体のうち、重量の軽い方の筐体に配置された表示領域に前記一覧を表示させることを特徴とする情報処理装置。
【請求項６】
複数の表示領域が設けられた情報処理装置における情報の表示方法であって、
当該情報処理装置の構造に基づいて、前記複数の表示領域のうち、アプリケーションの一覧を表示させる表示領域を決定するステップと、
前記決定した表示領域に前記一覧を表示させるステップとを行う表示方法。
【発明の詳細な説明】
【技術分野】
【０００１】
本発明は、情報を表示する情報処理装置および表示方法に関する。
【背景技術】
【０００２】
近年、タッチパネル機能が具備されたディスプレイ（表示部）を搭載した情報処理装置が普及してきている。さらに、その情報処理装置へのタッチ操作の操作状態に基づいて、表示部における表示を制御する技術が考えられている（例えば、特許文献１参照。）。
【先行技術文献】
【特許文献】
【０００３】
【特許文献１】特開２０１１−７６５２１号公報
【発明の概要】
【発明が解決しようとする課題】
【０００４】
特許文献１に記載されている技術は、利用者によって操作が行われてから、当該操作に基づく制御が行われた後、初めてその操作状態に応じた表示となる。そのため、情報処理装置が利用者の操作状態を検知しないと、使い勝手が良いとは言い難い表示が行われてしまうおそれがある。【０００５】
本発明の目的は、上述した課題を解決する情報処理装置および表示方法を提供することである。
【課題を解決するための手段】
【０００６】
本発明の情報処理装置は、
情報処理装置であって、
複数の表示領域を持つ表示部と、
当該情報処理装置の構造に基づいて、前記複数の表示領域のうち、アプリケーションの一覧を表示させる表示領域を決定し、該決定した表示領域に前記一覧を表示させる制御部とを有する。【０００７】
また、本発明の表示方法は、
複数の表示領域が設けられた情報処理装置における情報の表示方法であって、
当該情報処理装置の構造に基づいて、前記複数の表示領域のうち、アプリケーションの一覧を表示させる表示領域を決定するステップと、
前記決定した表示領域に前記一覧を表示させるステップとを行う。
【発明の効果】
【０００８】
以上説明したように、本発明においては、情報処理装置が、利用者の操作状態にかかわらず、装置の構造に応じた表示を行うことができる。
【図面の簡単な説明】
【０００９】
【図１】本発明の情報処理装置の実施の一形態を示す図である。
【図２】図１に示した情報処理装置の外観構造の一例を示す図である。
【図３】図１に示した情報処理装置のカメラが取り付けられた側から見た外観構造の一例を示す図である。
【図４】図１に示した情報処理装置における表示方法の第１の例を説明するためのフローチャートである。
【図５】カメラが取り付けられている筐体に配置されたに表示されたアプリケーションの一覧の一例を示す図である。
【図６】表示されるアプリケーションの一覧にカメラを起動するためのアイコンが含まれていない場合のアプリケーションの一覧の一例を示す図である。
【図７】図１に示した情報処理装置における表示方法の第２の例を説明するためのフローチャートである。
【図８】表示されるアプリケーションの一覧に入力系のアプリのアイコンが含まれている場合のアプリケーションの一覧の表示の様子の一例を示す図である。
【図９】表示されるアプリケーションの一覧に出力系のアプリのアイコンが含まれている場合のアプリケーションの一覧の表示の様子の一例を示す図である。
【図１０】１つの筐体から構成され、当該筐体に２つのディスプレイが配置された情報処理装置の外観構造の一例を示す図である。
【図１１】１つの筐体から構成され、物理的に１つの表示部が２つの表示領域に分かれている情報処理装置の外観構造の一例を示す図である。
【発明を実施するための形態】
【００１０】
以下に、本発明の実施の形態について図面を参照して説明する。
【００１１】
図１は、本発明の情報処理装置の実施の一形態を示す図である。
【００１２】
本形態における情報処理装置１００には図１に示すように、表示部１１０と、制御部１２０と、カメラ１３０とが設けられている。
【００１３】
表示部１１０は、情報を表示するディスプレイである。また、表示部１１０は、複数の表示領域を持つ。この表示領域は、物理的に１つのディスプレイが複数の領域に分割されて、その分割されたそれぞれの領域であっても良いし、物理的に分離した複数のディスプレイそれぞれであっても良い。また、表示部１１０は、タッチパネル機能を具備していても良い。
【００１４】
制御部１２０は、情報処理装置１００全体を制御する。また、制御部１２０は、起動できるアプリケーションの一覧を、複数の表示領域のうち、いずれか１つの表示領域または複数の表示領域全体に表示させる。このとき、制御部１２０は、あらかじめ設定されたアプリケーションを起動するための情報がアプリケーションの一覧に含まれる場合、当該アプリケーションの一覧を、情報処理装置１００の構造に基づいて、複数の表示領域のうち、いずれか１つの表示領域に表示させる。例えば、情報処理装置１００にカメラ１３０が取り付けられており、そのカメラ１３０を起動するために表示する情報（例えば、アイコン）がアプリケーションの一覧に含まれている場合、制御部１２０は、カメラ１３０が取り付けられた位置に最も近い位置に配置されている表示領域に、アプリケーションの一覧を表示させる。
【００１５】
また、複数の表示領域が物理的に分離した筐体それぞれに配置されている情報処理装置１００について説明する。アプリケーションの一覧の中に、利用者の操作で情報を入力するアプリケーション（以下、入力系のアプリと称する）を示す情報（例えば、アイコン）が含まれる場合、制御部１２０は、複数の表示領域のうち、重量の重い方の筐体に配置された表示領域に、当該アプリケーションの一覧を表示させる。また、アプリケーションの一覧の中に、情報が出力されるアプリケーション（以下、出力系のアプリと称する）を示す情報（例えば、アイコン）が含まれる場合、制御部１２０は、複数の表示領域のうち、重量の軽い方の筐体に配置された表示領域に、当該アプリケーションの一覧を表示させる。なお、一般的に、情報処理装置１００が２つの筐体から構成される場合、一方の筐体の重量と他方の筐体の重量とは異なるものであるものが多い。そのため、情報処理装置１００は、上述したような重量に基づく処理をすることができる。
【００１６】
図２は、図１に示した情報処理装置１００の外観構造の一例を示す図である。図２には、情報処理装置１００が、２つの筐体から構成され、それぞれの筐体に配置されたディスプレイそれぞれを表示領域とするものである場合を例に挙げて示している。
【００１７】
図１に示した情報処理装置１００（破線で囲った部分）は図２に示すように、ヒンジ部４００で接続された２つの筐体３００−１，３００−２から構成されており、ヒンジ部４００を中心に開閉自在となっている。また、筐体３００−１には一方の表示領域であるディスプレイ２００−１が配置され、筐体３００−２には他方の表示領域であるディスプレイ２００−２が配置されている。また、ディスプレイ２００−１とディスプレイ２００−２とから、表示部１１０（破線で囲った部分）を構成している。
【００１８】
図３は、図１に示した情報処理装置１００のカメラ１３０が取り付けられた側から見た外観構造の一例を示す図である。
【００１９】
図１に示した情報処理装置１００をカメラ１３０が取り付けられた側から見ると、筐体３００−２にカメラ１３０が取り付けられている。カメラ１３０は、ディスプレイ２００−２とは反対側に取り付けられている。以下の説明においてカメラ１３０は、図３に示すように、筐体３００−２に取り付けられている場合を例に挙げて説明する。なお、カメラ１３０は、筐体３００−１に取り付けられているものであっても良い。
【００２０】
以下に、図１に示した情報処理装置１００における表示方法について説明する。
【００２１】
図４は、図１に示した情報処理装置１００における表示方法の第１の例を説明するためのフローチャートである。この第１の例では、情報処理装置１００が起動し得るアプリケーションとして、カメラ１３０を利用したアプリケーションが含まれている場合を説明する。
【００２２】
まず、ステップ１にて、利用者が情報処理装置１００に対して所定の操作を行うことで、制御部１２０が、アプリケーションの一覧の表示の操作を受け付けると、ステップ２にて、その表示操作が行われた画面が、ディスプレイ２００−１であるかディスプレイ２００−２であるかを制御部１２０が判定する。
【００２３】
その表示操作が行われた画面がディスプレイ２００−１である場合、ステップ３にて、制御部１２０が、カメラ１３０が取りつけられている位置が筐体３００−１であるか筐体３００−２であるかを判定する。この判定は、情報処理装置１００の構造をあらかじめ記憶しておき、記憶された構造の中から、カメラ１３０が取り付けられている筐体を示す情報を制御部１２０が識別することで実現する。
【００２４】
カメラ１３０が取り付けられている位置が、筐体３００−１である場合、制御部１２０は、筐体３００−１に配置されたディスプレイ２００−１を表示領域として決定する。そして、ステップ４にて、制御部１２０は、ディスプレイ２００−１に、カメラのアプリのアイコンを含むアプリケーションの一覧を表示する。
【００２５】
また、カメラ１３０が取り付けられている位置が、筐体３００−２である場合、ステップ５にて、制御部１２０は、表示操作が行われたディスプレイ２００−１には、カメラのアイコンを表示させない。つまり、制御部１２０は、筐体３００−２に配置されたディスプレイ２００−２を表示領域として決定し、ディスプレイ２００−２に、カメラのアイコンを表示させる。このとき、制御部１２０は、アプリケーションの一覧も同じディスプレイ２００−２に表示させるものであっても良い。
【００２６】
図５は、カメラ１３０が取り付けられている筐体３００−２に配置されたディスプレイ２００−２に表示されたアプリケーションの一覧の一例を示す図である。
【００２７】
図５に示すように、起動し得るアプリケーションである、アプリＡ、アプリＢ、アプリＣ、およびカメラ１３０を起動するカメラアプリのアイコンが、アプリケーションの一覧として、ディスプレイ２００−２に表示される。
【００２８】
一方、ステップ２にて、表示操作が行われた画面がディスプレイ２００−２である場合は、ステップ６にて、制御部１２０が、カメラ１３０が取りつけられている位置が筐体３００−１であるか筐体３００−２であるかを判定する。この判定方法は、ステップ３と同じである。
【００２９】
カメラ１３０が取り付けられている位置が、筐体３００−１である場合、ステップ７にて、制御部１２０は、表示操作が行われたディスプレイ２００−２には、カメラのアイコンを表示させない。つまり、制御部１２０は、筐体３００−１に配置されたディスプレイ２００−１を表示領域として決定し、ディスプレイ２００−１に、カメラのアイコンを表示させる。このとき、制御部１２０は、アプリケーションの一覧も同じディスプレイ２００−１に表示させるものであっても良い。
【００３０】
また、カメラ１３０が取り付けられている位置が、筐体３００−２である場合、制御部１２０は、筐体３００−２に配置されたディスプレイ２００−２を表示領域として決定する。そして、ステップ８にて、制御部１２０は、ディスプレイ２００−２に、カメラのアプリのアイコンを含むアプリケーションの一覧を表示する。
【００３１】
図６は、表示されるアプリケーションの一覧にカメラ１３０を起動するためのアイコンが含まれていない場合のアプリケーションの一覧の一例を示す図である。
【００３２】
図６に示すように、起動し得るアプリケーションである、アプリＡ、アプリＢ、およびアプリＣのアイコンが、アプリケーションの一覧として、ディスプレイ２００−１に表示される。図６に示した例では、アプリケーションの一覧がディスプレイ２００−１に表示されているが、これは、表示操作が行われた画面がディスプレイ２００−１である場合である。一方、表示操作が行われた画面がディスプレイ２００−２である場合は、アプリケーションの一覧がディスプレイ２００−２に表示される。また、表示操作が行われた画面をディスプレイ２００−１，２００−２全体として指定できるのであれば、そのような場合は、アプリケーションの一覧がディスプレイ２００−１，２００−２全体に表示されるものであっても良く、あらかじめ設定されている表示領域に表示されれば良い。
【００３３】
このように、アイコンが表示された表示領域にてアプリケーションを起動してアプリケーションによる表示を行う処理が行われる場合、制御部１２０は、カメラ１３０が取り付けられた位置に最も近い表示領域にカメラ１３０のアプリケーションのアイコンを表示させる。これにより、撮影画像がカメラ１３０に近い位置に表示され、利用者が撮影対象を捕らえやすくなる。特に、ヒンジ等で開閉自在に接続された２つの筐体から構成されている装置では、２つの筺体の向きが互いに異なることが多い。そのような場合は、カメラ１３０が取り付けられた筺体に配置されたディスプレイに撮影画像が表示されることで、カメラ１３０が撮影する方向と利用者が撮影画像を見る方向とが同じ方向となり、利用者が撮影対象を捕らえやすくなる。
【００３４】
図７は、図１に示した情報処理装置１００における表示方法の第２の例を説明するためのフローチャートである。この第２の例では、情報処理装置１００が起動し得るアプリケーションとして、入力系のアプリや出力系のアプリが含まれている場合を説明する。
【００３５】
まず、ステップ１１にて、利用者が情報処理装置１００に対して所定の操作を行うことで、制御部１２０が、アプリケーションの一覧の表示の操作を受け付けると、ステップ１２にて、その表示操作が行われた画面が、ディスプレイ２００−１であるかディスプレイ２００−２であるかを制御部１２０が判定する。
【００３６】
その表示操作が行われた画面がディスプレイ２００−１である場合、ステップ１３にて、制御部１２０が、筐体３００−１と筐体３００−２とのどちらの筐体が重いかを判定する。上述したように、２つの筺体から構成される装置は、一般的には、２つの筐体それぞれの重量が互いに同じではなく、利用者がノートパソコンのような利用スタイルを取ったとき、下側になる筐体の重量が重いものとなっているものが多い。
【００３７】
筐体３００−１が筐体３００−２よりも重い場合、ステップ１４にて、制御部１２０は、出力系のアプリのアイコンを表示するときは、表示操作が行われたディスプレイ２００−１には表示させない。つまり、制御部１２０は、出力系のアプリのアイコンを表示するときは、筐体３００−２に配置されたディスプレイ２００−２を表示領域として決定し、ディスプレイ２００−２に、出力系のアプリのアイコンを表示させる。このとき、制御部１２０は、アプリケーションの一覧も同じディスプレイ２００−２に表示させるものであっても良い。
【００３８】
また、筐体３００−２が筐体３００−１よりも重い場合、ステップ１５にて、制御部１２０は、入力系のアプリのアイコンを表示するときは、表示操作が行われたディスプレイ２００−１には表示させない。つまり、制御部１２０は、入力系のアプリのアイコンを表示するときは、筐体３００−２に配置されたディスプレイ２００−２を表示領域として決定し、ディスプレイ２００−２に、入力系のアプリのアイコンを表示させる。このとき、制御部１２０は、アプリケーションの一覧も同じディスプレイ２００−２に表示させるものであっても良い。
【００３９】
一方、ステップ１２にて、その表示操作が行われた画面がディスプレイ２００−２である場合、ステップ１６にて、制御部１２０が、筐体３００−１と筐体３００−２とのどちらの筐体が重いかを判定する。この判定処理は、ステップ１３と同じである。
【００４０】
筐体３００−１が筐体３００−２よりも重い場合、ステップ１７にて、制御部１２０は、入力系のアプリのアイコンを表示するときは、表示操作が行われたディスプレイ２００−２には表示させない。つまり、制御部１２０は、入力系のアプリのアイコンを表示するときは、筐体３００−１に配置されたディスプレイ２００−１を表示領域として決定し、ディスプレイ２００−１に、入力系のアプリのアイコンを表示させる。このとき、制御部１２０は、アプリケーションの一覧も同じディスプレイ２００−１に表示させるものであっても良い。
【００４１】
また、筐体３００−２が筐体３００−１よりも重い場合、ステップ１８にて、制御部１２０は、出力系のアプリのアイコンを表示するときは、表示操作が行われたディスプレイ２００−２には表示させない。つまり、制御部１２０は、出力系のアプリのアイコンを表示するときは、筐体３００−１に配置されたディスプレイ２００−１を表示領域として決定し、ディスプレイ２００−１に、出力系のアプリのアイコンを表示させる。このとき、制御部１２０は、アプリケーションの一覧も同じディスプレイ２００−１に表示させるものであっても良い。
【００４２】
図８は、筐体３００−１が筐体３００−２よりも重く、表示されるアプリケーションの一覧に入力系のアプリのアイコンが含まれている場合のアプリケーションの一覧の表示の様子の一例を示す図である。
【００４３】
図８に示すように、筐体３００−１が筐体３００−２よりも重く、表示されるアプリケーションの一覧に入力系のアプリのアイコンが含まれている場合、重い筐体３００−１に配置されているディスプレイ２００−１に、入力系のアプリのアイコンが含まれるアプリケーションの一覧が表示される。この表示に従って利用者が、入力系のアプリのアイコンを選択すると、入力系のアプリが起動し、当該アプリケーションによる表示がディスプレイ２００−１に行われる。これにより、利用者に近いディスプレイ２００−１に入力キーボード等が表示され、利用者が文字等の情報を入力しやすくなる。
【００４４】
図９は、筐体３００−２が筐体３００−１よりも軽く、表示されるアプリケーションの一覧に出力系のアプリのアイコンが含まれている場合のアプリケーションの一覧の表示の様子の一例を示す図である。
【００４５】
図９に示すように、筐体３００−２が筐体３００−１よりも軽く、表示されるアプリケーションの一覧に出力系のアプリのアイコンが含まれている場合、軽い筐体３００−２に配置されているディスプレイ２００−２に、出力系のアプリのアイコンが含まれるアプリケーションの一覧が表示される。この表示に従って利用者が、出力系のアプリのアイコンを選択すると、出力系のアプリが起動し、当該アプリケーションによる表示がディスプレイ２００−２に行われる。これにより、利用者から遠いディスプレイ２００−２に画像等の情報の出力表示が行われ、利用者が情報の閲覧をしやすくなる。
【００４６】
なお、上述した例では、情報処理装置１００が２つの筐体３００−１，３００−２から構成され、ディスプレイ２００−１，２００−２が筐体３００−１，３００−２それぞれに配置されている場合を挙げて説明したが、情報処理装置が１つの筐体から構成され、当該筐体にディスプレイ２００−１，２００−２が配置されているものであっても良い。
【００４７】
図１０は、１つの筐体から構成され、当該筐体に２つのディスプレイが配置された情報処理装置の外観構造の一例を示す図である。
【００４８】
図１０に示すように、情報処理装置１０１は、１つの筐体から構成され、表示部１１０は、２つの表示領域であるディスプレイ２００−１，２００−２を具備している。ディスプレイ２００−１，２００−２におけるアプリケーションによる表示方法は上述したものと同じである。
【００４９】
また、情報処理装置が１つの筐体から構成され、物理的に１つの表示部が２つの表示領域に分かれているものであっても良い。
【００５０】
図１１は、１つの筐体から構成され、物理的に１つの表示部が２つの表示領域に分かれている情報処理装置の外観構造の一例を示す図である。
【００５１】
図１１に示すように、情報処理装置１０２は、１つの筐体から構成され、物理的に１つの表示部１１１が２つの表示領域５００−１，５００−２に分かれている。この表示領域５００−１，５００−２は、ソフトウェア等の設定であらかじめ決められているものである。また、表示領域５００−１，５００−２におけるアプリケーションによる表示方法は、上述したディスプレイ２００−１，２００−２への表示方法と同じものと同じである。
【００５２】
なお、情報処理装置が１つの筐体から構成される場合、上述したような重量の軽重の判定はできないが、例えば、利用者が、情報処理装置１０１，１０２を縦型に（ディスプレイ２００−１（表示領域５００−１）とディスプレイ２００−１（表示領域５００−２）とが縦（上下）に並ぶように）保持する際、上側になる方を「軽い方」とし、もう一方を「重い方」として、処理するものであっても良い。このとき、例えば、ディスプレイ（表示領域）の大きな方を「重い方」としたり、表示の向きを一定にすることで利用者が保持する方向を決めて下側になる方を「重い方」としたりするものであっても良い。
【００５３】
また、センサ等を用いて、情報処理装置の向き（スタイル）を検知し、検知したスタイルに基づいて、上述した処理を行うものであっても良い。
【００５４】
上記の実施の形態の一部または全部は、以下の付記のようにも記載され得るが、以下には限られない。
【００５５】
（付記１）情報処理装置であって、
複数の表示領域を持つ表示部と、
当該情報処理装置の構造に基づいて、前記複数の表示領域のうち、アプリケーションの一覧を表示させる表示領域を決定し、該決定した表示領域に前記一覧を表示させる制御部とを有することを特徴とする情報処理装置。
【００５６】
（付記２）カメラを有し、
前記制御部は、前記アプリケーションの一覧の中に、前記カメラを用いたアプリケーションを示す情報が含まれる場合、前記カメラが取り付けられた位置に最も近い位置に配置されている表示領域に前記一覧を表示させることを特徴とする、付記１に記載の情報処理装置。
【００５７】
（付記３）ヒンジで接続された２つの筺体から構成され、
前記表示部は、前記２つの筺体それぞれに配置された２つの表示領域を持ち、
前記制御部は、前記カメラが取り付けられた筐体に配置された表示領域に前記一覧を表示させることを特徴とする、付記２に記載の情報処理装置。
【００５８】
（付記４）２つの筺体から構成され、
前記表示部は、前記２つの筺体それぞれに配置された２つの表示領域を持ち、
前記制御部は、前記アプリケーションの一覧の中に、利用者の操作で情報を入力するアプリケーションを示す情報が含まれる場合、前記２つの筺体のうち、重量の重い方の筐体に配置された表示領域に前記一覧を表示させることを特徴とする、付記１に記載の情報処理装置。
【００５９】
（付記５）２つの筺体から構成され、
前記表示部は、前記２つの筺体それぞれに配置された２つの表示領域を持ち、
前記制御部は、前記アプリケーションの一覧の中に、情報が出力されるアプリケーションを示す情報が含まれる場合、前記２つの筺体のうち、重量の軽い方の筐体に配置された表示領域に前記一覧を表示させることを特徴とする、付記１または付記４に記載の情報処理装置。
【００６０】
（付記６）複数の表示領域が設けられた情報処理装置における情報の表示方法であって、
当該情報処理装置の構造に基づいて、前記複数の表示領域のうち、アプリケーションの一覧を表示させる表示領域を決定するステップと、
前記決定した表示領域に前記一覧を表示させるステップとを行う表示方法。
【００６１】
以上、実施の形態を参照して本願発明を説明したが、本願発明は上記実施の形態に限定されるものではない。本願発明の構成や詳細には、本願発明のスコープ内で当業者が理解し得る様々な変更をすることができる。
【００６２】
この出願は、２０１２年３月２８日に出願された日本出願特願２０１２−７３４４２を基礎とする優先権を主張し、その開示の全てをここに取り込む。
【図１】
2013145491.tif 000003
【図２】
2013145491.tif 000004
【図３】
2013145491.tif 000005
【図４】
2013145491.tif 000006
【図５】
2013145491.tif 000007
【図６】
2013145491.tif 000008
【図７】
2013145491.tif 000009
【図８】
2013145491.tif 000010
【図９】
2013145491.tif 000011
【図１０】
2013145491.tif 000012
【図１１】
2013145491.tif 000013
【国際調査報告】
2013145491.tif 000014
2013145491.tif 000015